【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
３次元印刷物体を生成するようにプリンタを動作させる方法において、
前記３次元印刷物体の表面領域の幾何学的形状と、前記表面領域についての少なくとも２つの異なる色配置と、異なる色配置のそれぞれに割り当てられた視野方向、視野角及び照明角のうちの少なくとも１つとを画定する３次元データを受信することと、
複数の異なる材料領域に対応するデータを含む前記３次元の印刷物体のモデルを生成することであって、前記複数の異なる材料領域が、ともに前記モデルのモデル表面領域を画定し、且つ、異なる方向から見て異なる量だけお互いに重なり合い、前記複数の異なる材料領域からの光の異なる割合が、異なる視野方向から、異なる視野角から、及び異なる角度で前記表面領域を照らす照明によって、のうちの少なくとも１つによって前記モデル表面領域を視認する観察者に視認可能とされ、前記３次元データによって画定された前記視野方向、前記視野角及び前記照明角から見た前記モデル表面領域の着色が、前記視野方向、前記視野角及び前記照明角が割り当てられた前記少なくとも２つの異なる色配置に対応する、前記モデルを生成することと、
前記表面領域の前記幾何学的形状、前記表面領域についての少なくとも２つの異なる色配置、及び異なる色配置のそれぞれに割り当てられた少なくとも１つの視野方向、視野角、及び照明角を参照して前記表面領域についての色変更マップを生成することと、
ともに前記モデル表面領域を画定する複数の異なる材料領域と、前記異なる色配置に割り当てられた前記少なくとも１つの視野方向、視野角、照明角に対応する前記データを参照して前記モデル表面領域の色変更マップを生成することと、
前記モデル表面領域の前記色変更マップに対する前記表面領域の前記色変更マップの色相及び色位置のうちの少なくとも１つの類似性を測定するように前記モデル表面領域の前記色変更マップと前記表面領域の前記色変更マップを比較することと、
前記モデル表面領域の前記色変更マップに対する前記表面領域の前記色変更マップの前記測定された類似性が、前記異なる色配置のそれぞれに割り当てられた前記少なくとも１つの視野方向、視野角及び照明角における所定の閾値よりも大きくなるまで前記モデルの生成を継続することと、
前記生成されたモデルを参照して前記３次元印刷物体の前記表面領域の前記幾何学的形状を変更することと、
前記変更された表面領域の幾何学形状を参照して、第１の色の第１の材料領域を形成するように前記第１の色を有する材料の液滴を吐出する前記複数のイジェクタのうちの第１のサブセットを動作させることと、
前記変更された表面領域の幾何学形状を参照して、前記第１の色とは異なる第２の色の第２の材料領域を形成するように前記第２の色を有する材料の液滴を吐出する前記複数のイジェクタのうちの第２のサブセットを動作させることとを含み、前記複数の異なる材料領域からの異なる光の割合が、異なる視野方向から、異なる視野角から、及び異なる角度で前記表面領域を照らす照明によって、のうちの少なくとも１つによって前記３次元印刷物体の前記表面領域を視認する観察者に視認可能であるのを可能とするように、且つ、前記観察者に視認可能な前記第１の材料領域及び前記第２の材料領域の前記光の割合に基づいて前記３次元印刷物体の前記表面領域の着色が変更されるのを可能とするように、前記複数の異なる材料領域が異なる方向から見て異なる量だけ互いに重なり合っている、方法。
【請求項２】
前記第２の着色された材料領域及び前記第１の着色された材料領域が前記表面領域の表面から異なる距離にある、請求項１に記載の方法。
【請求項３】
請求項２に記載の方法であって、前記複数の異なる材料領域を形成する前記複数のイジェクタの前記動作は、さらに
透明である第３の材料領域を形成するように、透明である第３の色を有する材料の液滴を吐出する、前記複数のイジェクタのうちの第３のサブセットを動作させることを含み、前記第３の材料領域は、前記表面に対して前記第１の材料領域と前記第２の材料領域の間に配置され、
白色である少なくとも１つの第４の材料領域を形成するように、白色である第４の色を有する材料の液滴を吐出する、前記複数のイジェクタのうちの第４のサブセットを動作させることを含み、前記少なくとも１つの第４の材料領域は、前記第１の材料領域と前記第２の材料領域のうちの少なくとも１つの前記表面とは逆側に配置される、方法。
【請求項４】
請求項３に記載の方法であって、前記複数の異なる材料領域を形成する前記複数のイジェクタの前記動作は、さらに
黒である第５の材料領域を形成するように、黒色を有する材料の液滴を吐出する、前記複数のイジェクタのうちの第５のサブセットを動作させることを含み、前記第５の材料領域は、前記表面に対して前記第１の材料領域と前記第３の材料領域の間に配置される、方法。
【請求項５】
前記第２の材料領域が前記表面領域の表面に対してほぼ平行な方向において前記第１の材料領域と重なり合う、請求項１に記載の方法。
【請求項６】
請求項１に記載の方法であって、前記複数の異なる材料領域を形成する前記複数のイジェクタの前記動作は、さらに
第１の視野方向、第１の視野角範囲、第１の照明角範囲の少なくとも１つにおける前記表面領域に画像を形成する材料領域の第１のサブセットを形成するように前記複数のイジェクタを動作させることと、
第２の視野方向、第２の視野角範囲、第２の照明角範囲の少なくとも１つにおいて、前記第１の複数の材料領域によって前記表面に形成された前記画像を変更する材料領域の第２のサブセットを形成するように前記複数のイジェクタを動作させることと、を含む方法。
【請求項７】
請求項１に記載の方法であって、さらに
前記異なる光配置のそれぞれに割り当てられた視野方向、視野角及び照明角の前記少なくとも１つから前記モデル表面領域を視認する観察者の視界をシミュレートすることと、
前記観察者の前記シミュレートされた視界を参照して、前記異なる色配置のそれぞれに割り当てられた前記視野方向、前記視野角、前記照明角の前記少なくとも１つから前記観察者に視認可能な前記異なる材料領域からの異なる光の割合を識別することと、を含み、  前記異なる光配置のそれぞれに割り当てられた前記視野方向、前記視野角及び前記照明角の前記少なくとも１つから視認する前記観察者に視認可能な各材料領域からの前記識別された光の割合をさらに参照して、前記モデル表面領域の色変更マップが生成される、方法。
【請求項８】
請求項７に記載の方法であって、前記モデルの生成を継続することがさらに、
前記モデル表面領域を視認する前記観察者の前記視野の前記シミュレートと、前記観察者に視認可能な前記異なる材料領域からの異なる光の割合の前記識別と、前記表面領域の前記色変更マップと前記モデル表面領域の前記色変更マップの前記比較と、を前記モデルの各生成に対し継続すること、を含む方法。
【請求項９】
異なる視野方向から、異なる視野角から、及び異なる角度で表面領域を照らす照明によって前記表面領域を視認する観察者に視認可能な異なる色配置を有する前記表面領域を有する３次元印刷物体を生成するように３次元物体プリンタを動作させる方法において、
前記３次元印刷物体の表面領域の幾何学的形状と、前記表面領域についての少なくとも２つの異なる色配置と、前記異なる色配置のそれぞれに割り当てられた視野方向、視野角及び照明角のうちの少なくとも１つとを画定する３次元データを提供することと、
複数の異なる材料領域に対応するデータを含む前記３次元の印刷物体のモデルを生成することであって、前記複数の異なる材料領域が、ともに前記モデルのモデル表面領域を画定し、且つ、異なる方向から見て異なる量だけお互いに重なり合い、前記複数の異なる材料領域からの光の異なる割合が、異なる視野方向から、異なる視野角から、及び異なる角度で前記表面領域を照らす照明によって、のうちの少なくとも１つによって前記モデル表面領域を視認する観察者に視認可能とされ、前記３次元データによって画定された前記視野方向、前記視野角及び前記照明角から見た前記モデル表面領域の着色が、前記視野方向、前記視野角及び前記照明角が割り当てられた前記少なくとも２つの異なる色配置に対応する、前記モデルを生成することと、
前記表面領域の前記幾何学的形状、前記表面領域についての少なくとも２つの異なる色配置、及び異なる色配置のそれぞれに割り当てられた少なくとも１つの視野方向、視野角、及び照明角を参照して前記表面領域についての色変更マップを生成することと、
ともに前記モデル表面領域を画定する複数の異なる材料領域と、前記異なる色配置に割り当てられた前記少なくとも１つの視野方向、視野角、照明角に対応する前記データを参照して前記モデル表面領域の色変更マップを生成することと、
前記モデル表面領域の前記色変更マップに対する前記表面領域の前記色変更マップの色相及び色位置のうちの少なくとも１つの類似性を測定するように前記モデル表面領域の前記色変更マップと前記表面領域の前記色変更マップを比較することと、
前記モデル表面領域の前記色変更マップに対する前記表面領域の前記色変更マップの前記測定された類似性が、前記異なる色配置のそれぞれに割り当てられた前記少なくとも１つの視野方向、視野角及び照明角における所定の閾値よりも大きくなるまで前記モデルの生成を継続することと、
前記生成されたモデルを参照して前記３次元印刷物体の前記表面領域の前記幾何学的形状を変更することと、
前記３次元物体を生成するように前記変更された幾何学的形状を参照して前記３次元物体プリンタを動作されることとを備える、方法。
【請求項１０】
請求項９に記載の方法であって、さらに
前記異なる光配置のそれぞれに割り当てられた視野方向、視野角及び照明角の前記少なくとも１つから前記モデル表面領域を視認する観察者の視界をシミュレートすることと、
前記観察者の前記シミュレートされた視界を参照して、前記異なる色配置のそれぞれに割り当てられた前記視野方向、前記視野角、前記照明角の前記少なくとも１つから前記観察者に視認可能な前記異なる材料領域からの異なる光の割合を識別することと、を含み、  前記異なる光配置のそれぞれに割り当てられた前記視野方向、前記視野角及び前記照明角の前記少なくとも１つから視認する前記観察者に視認可能な各材料領域からの前記識別された光の割合をさらに参照して、前記モデル表面領域の色変更マップが生成される、方法。
【請求項１１】
請求項１０に記載の方法であって、前記モデルの生成を継続することがさらに、
前記モデル表面領域を視認する前記観察者の前記視野の前記シミュレートと、前記観察者に視認可能な前記異なる材料領域からの異なる光の割合の前記識別と、前記表面領域の前記色変更マップと前記モデル表面領域の前記色変更マップの前記比較と、を前記モデルの各生成に対し継続すること、含む方法。
【請求項１２】
３次元印刷物体において、
前記３次元印刷物体の第１の表面領域を画定する複数の異なる材料領域を備え、前記複数の異なる材料領域が、
材料領域の第１のサブセットであって、前記材料領域の第１のサブセット内の各材料領域がそれぞれの色を有し、前記材料領域の第１のサブセットが第１の色を有する少なくとも第１の材料領域を含む、材料領域の第１のサブセットと、
材料領域の第２のサブセットであって、前記材料領域の第２のサブセット内の各材料領域がそれぞれの色を有し、前記材料領域の第２のサブセットが前記第１の色とは異なる第２の色を有する少なくとも第２の材料領域を含む、材料領域の第２のサブセットと、を含み、
前記複数の異なる材料領域が異なる方向に沿って異なる量だけ互いに重なり合い、（ｉ）前記複数の異なる材料領域からの光の異なる割合が、異なる視野方向、異なる視野角及び異なる角度で前記第１の表面領域を照らす照明のうちの少なくとも１つから前記３次元印刷物体の前記第１の表面領域を視認する観察者に視認可能とされ、（ｉｉ）前記３次元印刷物体の前記第１の表面領域の着色が観察者に視認可能な前記複数の異なる材料領域からの前記光の割合に基づいて変更可能とされ、
前記材料領域の第１のサブセットが第１の視野方向、第１の視野角範囲、第１の照明角範囲の少なくとも１つにおける前記第１の表面領域に画像を形成し、
前記材料領域の第２のサブセットが第２の視野方向、第２の視野角範囲、第２の照明角範囲の少なくとも１つにおいて、前記材料領域の第１のサブセットによって前記第１の表面領域に形成された前記画像を変更する、３次元印刷物体。
【請求項１３】
前記第２の材料領域及び前記第１の材料領域が、前記第１の表面領域の表面から異なる距離にある、請求項１２に記載の３次元印刷物体。
【請求項１４】
前記複数の異なる材料領域は、さらに
少なくとも部分的に透明である第３の材料領域を含み、前記第３の材料領域は、前記表面に対して前記第１の材料領域と前記第２の材料領域の間に配置される、請求項１３に記載の３次元印刷物体。
【請求項１５】
前記複数の異なる材料領域は、さらに
白色である少なくとも１つの第４の材料領域を含み、前記少なくとも１つの第４の材料領域は、前記第１の材料領域と前記第２の材料領域のうちの少なくとも１つの前記表面とは逆側に配置される、請求項１４に記載の３次元印刷物体。
【請求項１６】
前記複数の異なる材料領域は、さらに
黒である第５の材料領域を含み、前記第５の材料領域は、前記第１の材料領域と前記第３の材料領域の間に配置される、請求項１５に記載の３次元印刷物体。
【請求項１７】
前記第２の材料領域が前記第１の表面領域の表面に対してほぼ平行な方向において前記第１の材料領域と重なり合う、請求項１２に記載の３次元印刷物体。
【請求項１８】
前記複数の異なる材料領域が前記表面に対してほぼ平行な方向において前記第１の材料領域と前記第２の材料領域と重なり合う透明な材料領域をさらに含む、請求項１７に記載の３次元印刷物体。
【請求項１９】
前記複数の異なる材料領域は、さらに
前記第１の色と前記第２の色と異なる第３の色を有する第３の材料領域を含み、前記第３の材料領域は少なくとも部分的に前記第１の材料領域と前記第２の材料領域との間に配置される、請求項１７に記載の３次元印刷物体。
【請求項２０】
前記複数の異なる材料領域は、さらに
前記第１の色と前記第２の色と異なる第３の色を有する第３の材料領域を含み、前記第１の材料領域及び前記第３の材料領域が前記表面から異なる距離にある、請求項１７に記載の３次元印刷物体。
【請求項２１】
さらに、
前記複数の異なる材料領域を支持するベースと、
前記複数の異なる材料領域及び他の複数の異なる材料領域が前記ベースによって分離されるように、前記第１の表面領域の前記表面とは逆側の前記３次元印刷物体の他の表面領域をともに画定する他の複数の異なる材料領域とを備え、前記他の複数の異なる材料領域が、
第３の色を有する第３の材料領域と、
前記第３の色とは異なる第４の色を有する第４の材料領域であって、前記異なる材料領域が異なる方向から見て異なる量だけ互いに重なり合い、前記他の複数の異なる材料領域からの光の異なる割合が、異なる視野方向から、異なる視野角から、及び異なる角度で前記表面を照らす照明によって、のうちの少なくとも１つから前記第３次元印刷物体の前記他の表面領域を視認する観察者に視認可能とされる、第４の材料領域と、
前記３次元印刷物体の前記他の表面領域の着色であって、前記観察者に視認可能な前記他の複数の異なる材料領域からの光の割合に基づいて変更される着色と、を含む、請求項１２に記載の３次元印刷物体。
【請求項２２】
さらに、
前記複数の異なる材料領域を支持するベースと、
前記複数の異なる材料領域及び他の複数の異なる材料領域が前記ベースによって分離されるように、前記第１の表面領域の前記表面とは逆側の前記３次元印刷物体の他の表面領域をともに画定する他の複数の異なる材料領域とを備え、前記他の複数の異なる材料領域が、
第３の色を有する第４の材料領域と、
前記第３の色とは異なる第４の色を有する第５の材料領域であって、前記異なる材料領域が異なる方向から見て異なる量だけ互いに重なり合い、前記他の複数の異なる材料領域からの光の異なる割合が、異なる視野方向から、異なる視野角から、及び異なる角度で前記表面を照らす照明によって、のうちの少なくとも１つから前記第３次元印刷物体の前記他の表面領域を視認する観察者に視認可能とされる、第５の材料領域と、
前記３次元印刷物体の前記他の表面領域の着色であって、前記観察者に視認可能な前記他の複数の異なる材料領域からの光の割合に基づいて変更される着色と、を含む、請求項１４に記載の３次元印刷物体。
【請求項２３】
さらに、
前記複数の異なる材料領域を支持するベースと、
前記複数の異なる材料領域及び他の複数の異なる材料領域が前記ベースによって分離されるように、前記第１の表面領域の前記表面とは逆側の前記３次元印刷物体の他の表面領域をともに画定する他の複数の異なる材料領域とを備え、前記他の複数の異なる材料領域が、
第３の色を有する第６の材料領域と、
前記第５の色とは異なる第４の色を有する第７の材料領域であって、前記異なる材料領域が異なる方向から見て異なる量だけ互いに重なり合い、前記他の複数の異なる材料領域からの光の異なる割合が、異なる視野方向から、異なる視野角から、及び異なる角度で前記表面を照らす照明によって、のうちの少なくとも１つから前記第３次元印刷物体の前記他の表面領域を視認する観察者に視認可能とされる、第７の材料領域と、
前記３次元印刷物体の前記他の表面領域の着色であって、前記観察者に視認可能な前記他の複数の異なる材料領域からの光の割合に基づいて変更される着色と、を含む、請求項１６に記載の３次元印刷物体。
【請求項２４】
前記複数の異なる材料領域が、さらに、
少なくとも部分的に透明な第３の材料領域を備え、前記第３の領域が前記複数の異なる材料領域の残りの部分をカプセル化する、請求項１３に記載の３次元印刷物体。
【請求項２５】
前記材料領域の第２のサブセットが、前記材料領域の第１のサブセットによって前記第１の表面領域に形成された前記画像を、錯視、他の画像、前記画像の強度の変更、前記画像の着色の変更のうちの少なくとも１つによって変更する、請求項１２に記載の３次元印刷物体。
【請求項２６】
前記第３の色が黒色である、請求項１９に記載の３次元印刷物体。
【請求項２７】
前記第３の材料領域が前記第１の材料領域と前記第２の材料領域と接触するように延在する、請求項１９に記載の３次元印刷物体。
【請求項２８】
前記第３の色が灰色である、請求項２７に記載の３次元印刷物体。
【請求項２９】
前記第１の色及び前記第２の色がそれぞれ黄色、マゼンタ及びシアンである、請求項１２に記載の３次元印刷物体。